(57)【要約】【課題】第一舌片と第二舌片とが安定に組み合わさるコネクタ装置を提供する。【解決手段】コネクタ装置は、相手コネクタを挿入する挿入空間を有するコネクタ装置において、前記挿入空間に突出する第一舌片と第二舌片を含む絶縁本体と前記第一舌片と第二舌片との中の少なくともの一方に配置されて前記挿入空間に露出する導電端子とを含み、前記第一舌片に前記第二舌片を保持するための収容溝が形成され、これによって、第一舌片と第二舌片との間が安定に保持され、相手コネクタからの挿入力が強くても受けることができ、コネクタ装置と相手コネクタとの接続の安定性が提供される。【選択図】図３
2010282965.tif 000002
【特許請求の範囲】
【請求項１】
相手コネクタを挿入する挿入空間を有するコネクタ装置において、
前記挿入空間に突出する第一舌片と第二舌片を含む絶縁本体と
前記第一舌片と第二舌片との中の少なくともの一方に配置されて前記挿入空間に露出する導電端子とを含み、
前記第一舌片に前記第二舌片を保持するための収容溝が形成されることを特徴とするコネクタ装置。
【請求項２】
前記第一舌片と第二舌片は、厚さ方向に少なくとも一部分が重なるように配置されることを特徴とする請求項１に記載のコネクタ装置。
【請求項３】
前記収容溝は前記第一舌片の上壁に形成されて、前記収容溝が前記第一舌片の後端を貫通するように設けられ、前記第二舌片が前記収容溝に支持されえて収容されることを特徴とする請求項１に記載のコネクタ装置。
【請求項４】
前記収容溝の両側には、コ字を呈する係合溝が後向きに第一舌片を貫通するようにそれぞれ形成され、
前記第二舌片の両側には前記係合溝に係合する縁部が形成され、前記係合溝の天板としての係合部が前記縁部の上部に当接することで、前記第二舌片の上向きの移動が制限されることを特徴とする請求項１に記載のコネクタ装置。
【請求項５】
前記第一舌片の先端には複数の位置決め溝が形成され、前記位置決め溝が前記収容溝より浅いので前記第二舌片の前向きへの移動が制限でき、前記導電端子は前記位置決め溝に収容される接触部を有し、前記位置決め同士の間に凸状リブにより隔離されていることを特徴とする請求項１に記載のコネクタ装置。
【請求項６】
前記導電端子は、第一導電端子組と第二導電端子組とを含み、第一導電端子組はＵＳＢ２．０規格に適合して、第一導電端子組と第二導電端子組とはＵＳＢ３．０規格に適合して、
前記第一導電端子組は前記第一舌片の上壁に配置される第一接触部を有し、前記第二導電端子組は前記位置決め溝に収容される第二接触部を有して、前記第一接触部と第二接触部とは前記第一舌片の上壁側にそれぞれ配置されることを特徴とする請求項５に記載のコネクタ装置。
【請求項７】
前記絶縁本体は、前記第一舌片を有する第一本体と、前記第二舌片を有する第二本体とを含み、前記第一本体は前記第一舌片の後端での第一基部を有して、前記第二本体は前記第二舌片の後端での第二基部を有して、前記第一基部に前記収容溝に連通する第一空間が貫通するように形成され、前記第二基部は前記第一空間に収容されることを特徴とする請求項１に記載のコネクタ装置。
【発明の詳細な説明】
【技術分野】
【０００１】
本発明は、コネクタ装置に関し、特に、コネクタ装置の絶縁本体を改良する構造に関する。
【背景技術】
【０００２】
特許文献１を参照すると、従来のコネクタ装置は回路基板に実装され、組み合わせた第一本体及び第二本体と、前記第一本体と第二本体にそれぞれ装着された第一端子及び第二端子と、前記第一本体と第二本体を包囲するための金属板からなる金属シェルとを含む。金属シェルは、相手コネクタを収容するための収容空間を構成して、前記第一本体には収容空間に突出する第一舌片が設けられ、前記第二本体には収容空間に突出する第二舌片が設けられる。第一端子は前記第一舌片の上壁に配置される第一接触部を有して、第二端子は前記第二舌片の下壁に配置される第二接触部を有する。
【先行技術文献】
【特許文献】
【０００３】
【特許文献１】台湾実用新案公告第Ｍ３１２１００号明細書
【発明の概要】
【発明が解決しようとする課題】
【０００４】
しかしながら、組み合わせた時に、前記第一舌片と第二舌片は上下方向で積み重ねるように配置されるが、第一舌片と第二舌片との間に保持構造が備えられず、相手コネクタの挿入力が大き過ぎると、第一舌片と第二舌片との間に偏りを生じる恐れがあった。従って、新たなコネクタ装置を開発することが必要である。
【０００５】
本発明は、係る点に鑑みてなされたものであり、第一舌片と第二舌片とが安定に組み合わせられたコネクタ装置を提供することを目的とする。
【課題を解決するための手段】
【０００６】
本発明のコネクタ装置は、相手コネクタを挿入する挿入空間を有するコネクタ装置において、前記挿入空間に突出する第一舌片と第二舌片を含む絶縁本体と前記第一舌片と第二舌片との少なくともの一方に配置されて前記挿入空間に露出する導電端子とを含み、前記第一舌片に前記第二舌片を保持するための収容溝が形成されることを特徴とする。
【発明の効果】
【０００７】
従来技術に比べ、本発明は以下の利点を有する。前記第一舌片に前記第二舌片を保持するための収容溝が形成されるので、第一舌片と第二舌片との間が安定に保持され、相手コネクタからの挿入力が強くても受けることができ、コネクタ装置と相手コネクタとの接続の安定性が提供される。
【図面の簡単な説明】
【０００８】
【図１】本発明に係るコネクタ装置の組立斜視図である。
【図２】図１に示すコネクタ装置のほかの角度から見る組立斜視図である。
【図３】図１に示すコネクタ装置のA-A線に沿った断面図である。
【図４】本発明に係るコネクタ装置の分解図である。
【図５】図４に示すコネクタ装置のほかの角度から見た分解図である。
【図６】本発明に示すコネクタ装置の第二本体と導電端子との斜面図である。
【図７】図６に示すコネクタ装置の第二本体と導電端子とのほかの角度から見る斜面図である。
【発明を実施するための形態】
【０００９】
以下、本発明についての実施形態を詳細に説明する。以下の説明において、後方は相手コネクタの挿入方向であり、前方は相手コネクタの離脱方向である。図１乃至図７を参照すると、本発明に係るコネクタ装置１００は回路基板に実装され、絶縁本体と、絶縁本体に装着される複数の導電端子と、絶縁本体に組み合わせた光ファイバー部材５と、絶縁本体を包囲する金属板で構成されるシェル６とを含む。
【００１０】
絶縁本体は第一本体１と第一本体１に組合せた第二本体２とを含み、第一本体１は第一基部１１と、第一基部１１と、第一基部１１から前向きに延出して形成される第一舌片１２と、第一基部１１の底部から前向きに延出して、前記第一舌片１２と平行的に配置される補強板１３とを含み、補強板１３は第一舌片１２より第一基部１１から突出する長さが短い。第一基部１１の上下にそれぞれ配置される第一空間１１１と第二空間１１２とが貫通するよう形成され、前記第一空間１１１と第二空間１１２の間に平板状の隔離壁１１７が設けられ、また、上方での第二空間１１２の先端の中部に隔離板１１３が設けられる。
【００１１】
前記第一舌片１２には、上表面としての第一上壁１２１と下表面としての第一下壁１２２とを含み、第一上壁１２１には、前記第一空間１１１に連通する収容溝１２３と、収容溝１２３の先端での第一舌片１１の先端を貫通する複数の位置決め溝１２４が凹んで形成され、前記収容溝１２３の深さは位置決め溝１２４より深く、また、複数の位置決め溝１２４同士の間に凸状リブ１２５が間隔をあけて形成される。第一舌片１１の側部に収容溝１２３に突出する係合部１２６が設けられ、収容溝１２３の両側にコ字形状を呈する係合溝１２７が形成され、係合部１２６が係合溝１２７の天板とする。係合部１２６と係合溝１２７との長さが収容溝１２３の長さに相当する。第一基部１１は、頂部に複数の凸部１１４と、側部に凸部１１５とが形成され、側部の後端に切欠き部１１６が形成される。
【００１２】
第二本体２は、第二基部２１と第二基部２１から前向きに延出する第二舌片２２とを含む。第一本体１と第二本体２が組み合わさる場合、第二本体２は前記第一空間１１１に組付けられ、第二舌片２２が第一舌片１２の収容溝１２３に保持され収容される。第一舌片１２と第二舌片２２との積み重なった厚さは、第二舌片２２の厚さと同じである。第二基部２１の両側に凸部２１１が設けられ、第一空間１１１に前記凸部２１１に係合する凹部１１８が形成される。第二舌片２２の両側に前記係合溝１２７に係合する縁部２２７が形成され、係合部１２６が縁部２２７の上に当接することにより、第二舌片２２の上方への移動が制限される。収容溝１２３が位置決め溝１２４より深いので第二舌片２２の前向きへの移動が制限できる。
【００１３】
前記第二舌片２２の第二上壁２２１と第一舌片１２の第一上壁１２１とは、同一な面に位置している。第二基部２１の先端壁２１２には第一保持溝２１４が下向きに貫通するように形成され、第二基部２１の後端壁２１３には第一固定溝２１５が下向きに貫通するように形成され、第二舌片２２の第二上壁２２１には前記第一固定溝２１５に連通すると共に第二舌片２２を前向きに貫通しない第二固定溝２２４が設けられる。第二舌片２２の第二舌壁２２２には、前記第一保持溝２１４から前向きに延出する第二保持溝２２５が設けられ、第二舌片２２の先端に前記第二保持溝２２５に連通して上向きに延出する第三保持溝２２６が貫通するように形成される。
【００１４】
導電端子は、第一導電端子組３と複数の第二導電端子組４とを含む。前記第一導電端子組３はＵＳＢ２．０規格に符合し、電源端子と、グランド端子と、一ペア差動信号端子とを含む。第一導電端子組３と第二導電端子組４とは、ＵＳＢ３．０規格に符合している。
【００１５】
前記第一導電端子組３の各第一導電端子は、直角状の第一保持部３１と、第一保持部３１の一端から相手コネクタ方向へ延出する弧状の第一接触部３２と、第一保持部３１の他端から回路基板方向へ延出する第一半田部３３とを含む。前記第一保持部３１が第一固定溝２１５、第二固定溝２２４に保持され、第一接触部３２が第二舌片２２の第二上壁２２１から突出するように配置される。
【００１６】
前記第二導電端子組４の各第二導電端子は、直角状の第二保持部４１と、第二保持部４１の一端から上向きに屈曲して延出する連接部４４と、連接部４４の一端から延出する第二接触部４２と、第一保持部４１の他端から回路基板方向へ延出する第二半田部４３とを含む。前記第二保持部４１が第一保持溝２１４、第二保持溝２２５に保持され、連接部４４が第三保持溝２２６に収容し保持される。前記第二接触部４２が第二舌片２２の先端から突出して第一舌片１２の位置決め溝１２４に収容されて保持され、第二舌片２２の先端に設けられた凸部２２８により第二接触部４２の上向きへの移動が制限できる。
【００１７】
光ファイバー部材５は、光受信部材５２と、第一本体１の隔離板１１３に保持される凹溝５３と、光信号を回路基板に伝送する光素子（図示せず）とを含む。光受信部材５２は光ファイバー部材５の先端に位置し、レンズである。組合せた時に、前記光ファイバー部材５は第一本体１の第二空間１１２に装着され、前記第一接触部３２と第二接触部４２が前記光受信部材５２の先端に位置している。
【００１８】
前記シェル６は、第一本体１２と第二本体２２の外周を包囲して相手コネクタを嵌合する挿入空間６０を構成する。シェル６は、天板６１と、天板６１と対向する底板６２と、天板６１と底板６２を連接する両側板６３とを含み、第一本体１の補強板１３が底板６２の底部を支持することによって底板６２の変形を防止できる。
【００１９】
前記天板６１に第一本体１の凸部１１４に係合するための開口６１４が設けられ、側板６３に第一本体１の側部での凸部１１５に係合するための開口６３５が設けられ、側板６３の後端に第一本体１の切欠き部１１６に係止するための弾性片６３６が形成され、これによって、シェル６が第一本体１と第二本体２に安定に保持される。側板６３に回路基板の保持孔（図示せず）に保持される保持片６３２がそれぞれ下向きに延出するように形成され、また保持片６３２には回路基板の保持孔と干渉して係合するための突出部６３３が打ち抜けられる。
【００２０】
前記第二舌片２２が第一舌片１２の収容溝１２３に収容し保持されることによって、第一舌片１２と第二舌片２２との間が安定に保持され、相手コネクタからの挿入力が強くても受けるでき、コネクタ装置１００と相手コネクタとの接続の安定性が提供される。
【００２１】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００２２】
１００  コネクタ装置
１  第一本体
１１  第一基部
１２  第一舌片
１２３  収容溝
１２４  位置決め溝
１２６  係合部
１２７  係合溝
２  第二本体
２１  第二基部
２２  第二舌片
２２７  縁部
３  第一導電端子組
４  第二導電端子組
３２  第一接触部
４２  第二接触部
６０  挿入空間
１２１  第一上壁
【図１】
2010282965.tif 000003
【図２】
2010282965.tif 000004
【図３】
2010282965.tif 000005
【図４】
2010282965.tif 000006
【図５】
2010282965.tif 000007
【図６】
2010282965.tif 000008
【図７】
2010282965.tif 000009